(57)【要約】本発明は、ＳＤメモリーカードを４枚内蔵した、ＳＤメモリーカードとコネクタの位置精度を保ち且つ接触安定性の高いＰＣカードの提供を目的とする。本発明はＰＣカードのケース内に、プリント基板３と、プリント基板３に固定されたコネクタ４と、プリント基板３に固定される押圧部材６とを有し、押圧部材６によりＳＤメモリーカード２ケずつを挟持しつつプリント基板３及びコネクタ４に押圧する。
2005004043.tif 000002
【特許請求の範囲】
【請求項１】
開口部をカバーで蓋ったフレームと、フレーム内部に固定されたプリント基板と、ハウジング部がプリント基板の略中央部に固定され、ＰＣカードの長手両方向に伸びるコンタクトを平行に並べて構成したコネクタと、端子部が前記コネクタに接触可能であって前記コネクタの両側に２ケずつ前記プリント基板上に配置した４ケのＳＤメモリーカードと、前記コネクタを境にして同じ側に配置された各々２ケの前記ＳＤメモリーカードを挟持すると共に前記プリント基板及び前記コネクタのハウジング部に前記ＳＤメモリーカードを押圧固定する押圧部材とを具備することを特徴とするＰＣカード。
【請求項２】
前記押圧部材は、コネクタの両側に配置した各々２ケの前記ＳＤメモリーカードの上部を覆う本体部と、前記本体部から折り曲げて構成された側板部と、前記本体部及び前記側板部に一体に形成された弾性体からなる押圧片とを有することを特徴とする請求項１記載のＰＣカード。
【請求項３】
前記押圧部材は、この押圧部材を前記プリント基板に固定するための下方に伸びる係止手段を前記本体部及び前記側板部のうちの少なくともいずれか一方に備えたことを特徴とする請求項２記載のＰＣカード。
【請求項４】
前記係止手段の少なくとも１ケの係止片が２ケの前記ＳＤメモリーカードを並べた時にノッチ及び書込み禁止スイッチの切り欠き部のうち少なくともいずれか一方で形成される隙間を通ることを特徴とする請求項３記載のＰＣカード。
【請求項５】
前記係止手段のうち、前記押圧部材のコネクタ側の端辺の一方の端に形成された第１の係止片は、前記コネクタを境にして同じ側に配置された各々２ケの前記ＳＤメモリーカードの書込み禁止スイッチの外側の切り欠き部の隙間を通ってプリント基板の穴部に固定され、前記押圧部材のコネクタ側の端辺の他方の端に形成された第２の係止片は、前記各々２ケの前記ＳＤメモリーカードの外側のノッチに隣接する端子側の突部に係合し、前記第１の係止片と第２の係止片の距離が、２ケのＳＤメモリーカードの横幅よりも小さいことを特徴とする請求項３に記載のＰＣカード。
【請求項６】
前記係止手段のうち、前記押圧部材のコネクタ側の端辺の中央部に形成された第３の係止片は、各々２ケの前記ＳＤメモリーカードの書込み禁止スイッチの内側の切り欠き部とＳＤメモリーカードの内側のノッチによってできる隙間を通ってプリント基板の穴部に固定されたことを特徴とする請求項３に記載のＰＣカード。
【請求項７】
前記係止手段のうち、前記押圧部材のコネクタ側とは反対側の端辺の中央部に形成された第４の係止片は、各々２ケの前記ＳＤメモリーカードの角部のコーナアール部によりできた隙間を通ってプリント基板の穴部に固定されたことを特徴とする請求項３に記載のＰＣカード。
【請求項８】
前記プリント基板に、前記第１及び第３及び第４の係止片が貫通する穴部を形成すると共に、前記第１及び第３及び第４の係止片の先端部に切り欠き部を構成し、前記第１及び第３及び第４の係止片を前記プリント基板の穴部に貫通させた後、前記第１及び第３及び第４の係止片の先端部を切り欠き部からプリント基板に平行な面内又はプリント基板方向に曲げることにより、前記押圧部材を前記プリント基板に固定することを特徴とする請求項５、６、７のいずれかに記載のＰＣカード。
【請求項９】
押圧片は、前記第１−第４の係止片の近傍に設けられた請求項５、６、７のいずれかに記載のＰＣカード。
【請求項１０】
前記プリント基板に前記第１の係止片及び第２の係止片と各々ほぼ隙間なく係合可能な切り欠き部と前記第３の係止片が貫通する長穴を形成すると共に、前記第３の係止片の先端部に切り欠き部を構成し、前記第３の係止片を前記プリント基板の長穴に貫通させた後、押圧部材をコネクタ方向に移動させ前記第１及び第２の係止片の先端部をプリント基板の前記切り欠き部に係合して固定することを特徴とする請求項５または６に記載のＰＣカード。
【請求項１１】
前記プリント基板の裏側に前記プリント基板に接するように設けられた板状部材をさらに有し、前記プリント基板及び前記板状部材に前記第３及び４の係止片が貫通する穴部を形成すると共に、前記第３及び４の係止片の先端部に切り欠き部を構成し、前記第３及び４の係止片を前記プリント基板の穴部と前記板状部材の穴部に貫通させた後、前記係止片の先端部を切り欠き部から前記板状部材に平行な面内又は前記板状部材の方向に曲げることにより、前記押圧部材を前記板状部材に固定することを特徴とする請求項６または７記載のＰＣカード。
【請求項１２】
前記押圧部材を導電性部材で構成し、前記押圧部材の係止手段前記プリント基板のグランドに接触した状態で固定したことを特徴とする請求項１、２、３の何れかに記載のＰＣカード。
【請求項１３】
前記板状部材を導電性部材で構成し、前記板状部材を前記プリント基板のグランドに接触した状態で固定したことを特徴とする請求項１１記載のＰＣカード。
【請求項１４】
ＳＤメモリーカードをプリント基板側に押圧する押圧片はＳＤメモリーカードの角部に対応する位置に設けられたことを特徴とする請求項１、２、３の何れかに記載のＰＣカード。
【発明の詳細な説明】
【技術分野】  本発明は、携帯型情報処理機器等に使用するＰＣカードに関し、特に内部にＳＤメモリーカードを複数個搭載して大容量のメモリカードとして使用するＰＣカードの構成に関する。
【背景技術】  昨今、ＳＤメモリーカード等のフラッシュメモリを使用したメモリーカードをパーソナルコンピュータ等に装着するために、ＰＣカード型のアダプタが利用されている。これらの中には、一つのアダプタに複数のメモリーカードを同時に装着可能なものがある（例えば、ＪＰ９−１０２０１９  Ａを参照）。
一方、メモリーカードの大容量化が進み、これらのメモリーカードに対して映像等の大量のデータを記録再生する機器が増加している。そして、さらなる大容量化のニーズに応えるものとして、メモリーカードを単体で使用するのではなく、ＰＣカード内に複数のメモリーカードを搭載して大容量のメモリーカードとして使用できるようにしたものが提案されている。
図１３は内部に４ケのＳＤメモリーカードを搭載する、従来のＰＣカードの分解斜視図、図１４は、４ケのＳＤメモリーカードをプリント基板に搭載したＰＣカードの要部斜視図を示す。このＰＣカードは、フレーム１に、カバー２がスナップイン等の方式で固定され、ＰＣカードの薄型の筐体を形成している。フレーム１にはプリント基板３が接着等により固定されている。また、プリント基板３には、その中央部にコネクタ４のハウジングが位置決めして固定されている。ＳＤメモリーカード５は、コネクタ４の両側に対向して２ケずつ、計４ケがプリント基板３上に配置されている。即ち、２ケのＳＤメモリーカード５がその長辺が互いに隣接するように配置され、この２ケ一組のＳＤメモリーカード５が、コネクタ４を挟んで対向するように配置される。
図１５は、ＳＤメモリーカード５が挿着されたコネクタ４の断面図である。同図において、板状のバネでできたコンタクト８がコネクタ４に形成されたスリットに挿入されてハウジングに固定されておいる。このコンタクト８は、ＳＤメモリーカード５の各々の端子５ａに接触可能に平行に並べて形成されている。各コンタクト８はプリント基板上に設けられた図示しない回路パターンを経由して、プリント基板３裏面の図示しないコントロールＬＳＩ等に接続されている。
組立時には、まずプリント基板３にコネクタ４を実装し、その後、ＳＤメモリーカード５をプリント基板３に沿わせながら横方向からコネクタ４に挿入する。ＳＤメモリーカード５の先端部がコネクタ４のハウジングに当接することにより挿入が完了し、この状態で端子５ａがコンタクト８に接触するような構成となっている。なお、図示していないが、ＳＤメモリーカード５をコネクタ４に挿入完了時にＳＤメモリーカード５が短辺方向（ＰＣカードの長手方向と直角方向）に移動しないように、コネクタ４のハウジングにはＳＤメモリーカード５の端面と接触して位置規制を行う位置きめ部が形成されている。カードコネクタ９は、プリント基板３の一端部に固定されており、このコネクタ９を経由してコンピュータ等の外部装置と接続が可能である。図１４に示すように４個のＳＤメモリーカード５をコネクタ４に挿入完了したプリント基板３を、図１３に示すようにフレーム１内に嵌め込み、プリント基板３をフレーム１に固定する。図１３に示すように、クッション材２０はカバー２の裏面に固定され、カバー２がフレーム１に係合したときに４ケのＳＤメモリーカード５を上部から押圧しプリント基板３に固定する。
しかしながら、従来のこのＰＣカードとＳＤメモリーカード５の構成ではカバー２のソリなどによる部品精度のばらつきによってクッション材２０による押圧力が変化し易く、場合によっては十分な押圧力が得られないことがあった。その結果ＳＤメモリーカード５がＰＣカードの内部で動いてしまい、コネクタ４のコンタクト８とＳＤメモリーカード５の端子５ａとの間で接触不良が発生する可能性があった。
また、カバー２に何らかの外力が加わったときにクッション材２０を介してＳＤメモリーカード５が押されてプリント基板３がたわみ、その結果ＳＤメモリーカード５の端子５ａとコネクタ４のコンタクト８との接触状態が変化し、接触不良になることがある。場合によっては、カバー２に外力が加わってコンタクト８が変形する可能性があった。
さらに、ＳＤメモリーカード５はフレーム１及びカバー２で覆われているだけのため、構成上、外部からの静電気の影響を受けないようにするための余裕を確保しづらいという課題があった。
【発明の開示】
本発明は上記課題に鑑み、ＳＤメモリーカードの端子部とコネクタのコンタクトの接触の安定性を図り、４ケのＳＤメモリーカードを内部に搭載しつつ信頼性の高いＰＣカードを提供することを目的とする。また、内部に搭載したＳＤメモリーカードが外部からの静電気の影響を受けにくいＰＣカードの提供を目的とする。
この課題を解決するために本発明は、開口部をカバーで蓋ったフレームと、フレーム内部に固定されたプリント基板と、ハウジング部がプリント基板の略中央部に固定され、ＰＣカードの長手両方向に伸びるコンタクトを平行に並べて構成したコネクタと、端子部がコネクタに接触可能であってコネクタの両側に２ケずつプリント基板上に配置した計４ケのＳＤメモリーカードと、コネクタに対して同じ側に配置された各々２ケのＳＤメモリーカードを挟持すると共にプリント基板及びコネクタのハウジング部にＳＤメモリーカードを押圧固定する押圧部材とを具備したものである。
以上のように本発明によれば、押圧部材によりＳＤメモリーカードをプリント基板に押圧固定することにより、プリント基板上にコネクタとＳＤメモリーカード４ケが位置精度を確保した状態でコンパクトに固定でき、端子部とコンタクトの接触不良が生じにくいため、信頼性を確保した状態で、４ケのＳＤメモリーカードをＰＣカード内に収納できる。また、予めプリント基板上にコネクタを実装した後ＳＤメモリーカードが固定できるため組立性に優れ、押圧部材をプリント基板から外せばＳＤメモリーカードが取り外せるためメンテナンスが容易にできる優れたＰＣカードを提供できるという有利な効果が得られる。
また、本発明は押圧部材を導電性部材で構成し、押圧部材の係止手段をプリント基板のグランドに接触した状態で固定したものである。
【図面の簡単な説明】  図１は本発明の実施の形態１によるＰＣカードの構成要素の主要部の分解斜視図である。
図２は本発明の実施の形態１によるＰＣカードの構成要素の分解斜視図である。
図３は本発明の実施の形態１によるＰＣカードの主要部を裏側から見た分解斜視図である。
図４はＰＣカードとＳＤメモリーカードの断面図である。
図５は押圧部材を仮定的に設けた、ＰＣカードとＳＤメモリーカードの断面図である。
図６は本発明の実施の形態１によるＳＤメモリーカードの位置関係説明図である。
図７は本発明の実施の形態１による押圧部材を設けたＰＣカードとＳＤメモリーカードの断面図である。
図８は本発明の実施の形態１による押圧部材とＳＤメモリーカードの位置関係説明図である。
図９はプリント基板の裏面側の斜視図である。
図１０は本発明の実施の形態２によるＰＣカードの構成要素の主要部の分解斜視図である。
図１１は本発明の実施の形態３によるＰＣカードの構成要素の主要部の分解斜視図である。
図１２は、図１１の構成要素を組み立てた状態の裏面側の斜視図である。
図１３は従来のＰＣカードの分解斜視図である。
図１４は従来のプリント基板の構成の主要部の斜視図である。
図１５は従来のコネクタ部の断面図である。
【発明を実施するための最良の形態】  本発明の第１の発明は、開口部をカバーで蓋ったフレームと、フレーム内部に固定されたプリント基板と、ハウジング部がプリント基板の略中央部に固定され、ＰＣカードの長手両方向に伸びるコンタクトを平行に並べて構成したコネクタと、端子部が前記コネクタに接触可能であって前記コネクタの両側に２ケずつ前記プリント基板上に配置した４ケのＳＤメモリーカードと、前記コネクタを境にして同じ側に配置された各々２ケの前記ＳＤメモリーカードを挟持すると共に前記プリント基板及び前記コネクタのハウジング部に前記ＳＤメモリーカードを押圧固定する押圧部材とを具備するものである。上記構成により、プリント基板上に固定されたコネクタに対し、各々２ケのＳＤメモリーカードは押圧部材により挟持され且つプリント基板及びコネクタのハウジングに押圧される結果、コネクタとＳＤメモリーカードがプリント基板上で位置精度を確保した状態で固定できることになり、部品精度のばらつきを受けにくく、外部の衝撃等に対しても位置がずれにくくなるという作用を有する。
本発明の第２の発明は、前記押圧部材は、コネクタの両側に配置した各々２ケの前記ＳＤメモリーカードの上部を覆う本体部と、前記本体部から折り曲げて構成された側板部と、前記本体部及び前記側板部に一体に形成された弾性体からなる押圧片とを有する構成としたものである。前記本体部及び前記側板部に弾性体の押圧片を一体に構成することにより、簡単な構成でＳＤメモリーカードをプリント基板及びコネクタハウジングに押圧できることからコンパクトで安価な押圧板が提供できる。
本発明の第３の発明は、押圧部材がこの押圧部材を前記プリント基板に固定するための下方に伸びる係止手段を前記本体部及び前記側板部のうちの少なくともいずれか一方に備えた構成としたものである。この構成により、係止手段がＳＤメモリーカードを前記プリント基板に確実に固定することができる。
本発明の第４の発明は、前記係止手段の少なくとも１ケの係止片が２ケの前記ＳＤメモリーカードを並べた時にノッチ及び書込み禁止スイッチの切り欠き部のうち少なくともいずれか一方で形成される隙間を通る。係止片をＳＤメモリーカードの切り欠き部の隙間を通すことにより、狭い構成スペースでコンパクトに押圧板を固定することができるという作用を有する。
本発明の第５の発明は、前記係止手段のうち、前記押圧部材のコネクタ側の端辺の一方の端に形成された第１の係止片は、前記コネクタを境にして同じ側に配置された各々２ケの前記ＳＤメモリーカードの書込み禁止スイッチの外側の切り欠き部の隙間を通ってプリント基板の穴部に固定され、前記押圧部材のコネクタ側の端辺の他方の端に形成された第２の係止片は、前記各々２ケの前記ＳＤメモリーカードの外側のノッチに隣接する端子側の突部に係合し、前記第１の係止片と第２の係止片の距離が、２ケのＳＤメモリーカードの横幅よりも小さいことを特徴とする。上記構成により、第４の発明の作用以外に、第１の係止片と第２の係止片の距離が、２ケのＳＤメモリーカードの横幅よりも小さくすることにより、押圧部材の外周部に段部を形成せずに、係止片を形成できる。
本発明の第６の発明は、前記係止手段のうち、前記押圧部材のコネクタ側の端辺の中央部に形成された第３の係止片は、各々２ケの前記ＳＤメモリーカードの書込み禁止スイッチの内側の切り欠き部とＳＤメモリーカードの内側のノッチによってできる隙間を通ってプリント基板の穴部に固定されたことを特徴とする。
本発明の第７の発明は、前記係止手段のうち、前記押圧部材のコネクタ側とは反対側の端辺の中央部に形成された第４の係止片は、各々２ケの前記ＳＤメモリーカードの角部のコーナアール部によりできた隙間を通ってプリント基板の穴部に固定されたことを特徴とする。
本発明の第８の発明は、前記プリント基板に、前記第１及び第３及び第４の係止片が貫通する穴部を形成すると共に、前記第１及び第３及び第４の係止片の先端部に切り欠き部を構成し、前記第１及び第３及び第４の係止片を前記プリント基板の穴部に貫通させた後前記第１及び第３及び第４の係止片の先端部を切り欠き部からプリント基板に平行な面内又はプリント基板方向に曲げることにより、前記押圧部材を前記プリント基板に固定することを特徴とする。
前記のように係止片をプリント基板の穴部に貫通させて固定することによりプリント基板に対して精度の高い位置あわせが可能となり、押圧部材も外れにくくなる。また、切り欠き部から係止片の先端をプリント基板に平行な面内又はプリント基板方向に曲げて固定することにより、押圧部材をプリント基板に限られたスペース内で簡単に固定できるという作用を有する。特に係止片の先端をプリント基板に平行な面内で曲げて固定することにより、取り付けたときの押圧部材の高さもほぼ同じ高さになることから、ＳＤメモリーカードの押圧力も一定になり、安定した状態を保つことができるという作用を有する。
本発明の第９の発明は、押圧片が前記第１−第４の係止片の近傍に設けられている。押圧片をこのように配置することにより、ＳＤメモリーカードを押圧する反力が係止片の固定点近傍に作用することになり、プリント基板の変形が低減でき、プリント基板方向へ安定してＳＤメモリーカードの押圧が可能となる。
本発明の第１０の発明は、前記プリント基板に前記第１の係止片及び第２の係止片と各々ほぼ隙間なく係合可能な切り欠き部と前記第３の係止片が貫通する長穴を形成すると共に、前記第３の係止片の先端部に切り欠き部を構成し、前記第３の係止片を前記プリント基板の長穴に貫通させた後、押圧部材をコネクタ方向に移動させ前記第１及び第２の係止片の先端部をプリント基板の前記切り欠き部に係合して固定することを特徴とする。
上記構成によって、係止片の先端を曲げることなく、押圧部材をコネクタ側に摺動させるだけで所定の位置にＳＤメモリーカードを固定できる。このため、上記構成は係止片を曲げるというような作業をしなくてもＳＤメモリーカードをプリント基板に固定できることから、簡単に且つ精度よくＳＤメモリーカードをプリント基板に固定できるという作用を有する。
本発明の第１１の発明は、前記プリント基板の裏側に前記プリント基板に接するように設けられた板状部材をさらに有し、前記プリント基板及び前記板状部材に前記第３及び４の係止片が貫通する穴部を形成すると共に、前記第３及び４の係止片の先端部に切り欠き部を構成し、前記第３及び４の係止片を前記プリント基板の穴部と前記板状部材の穴部に貫通させた後、前記係止片の先端部を切り欠き部から前記板状部材に平行な面内又は前記板状部材の方向に曲げることにより、前記押圧部材を前記板状部材に固定することを特徴とする。
前記構成により、ＳＤメモリーカードとプリント基板を押圧部材と板状部材で挟持して固定できることになり、プリント基板に曲げ応力が生じにくいため、プリント基板上の電気部品やパターンにストレスがかからないという作用を有する。
本発明の第１２の発明は、前記押圧部材を導電性部材で構成し、前記押圧部材の係止手段前記プリント基板のグランドに接触した状態で固定したことを特徴とする。
前記構成により、導電体部材でＳＤメモリーカードを覆うように構成することにより、ＳＤメモリーカードが静電気の影響を受けにくくなるという作用を有する。
本発明の第１３の発明は、前記板状部材を導電性部材で構成し、前記板状部材を前記プリント基板のグランドに接触した状態で固定したことを特徴とする。
前記構成により、導電体部材でＳＤメモリーカードを覆うように構成することにより、ＳＤメモリーカードが静電気の影響を受けにくくなるという作用を有する。
本発明の第１４の発明は、ＳＤメモリーカードをプリント基板側に押圧する押圧片はＳＤメモリーカードの角部に対応する位置に設けられたことを特徴とする。前記構成により、ＳＤメモリーカード内のＩＣを外圧から保護することができる。
以下、本発明の実施の形態について、図面を用いて説明する。
実施の形態１
（背景説明）
図１は本発明のＰＣカードの構成要素の主要部の分解斜視図、図２はＰＣカードの構成要素の分解斜視図、図３は本発明のＰＣカードの主要部を裏側から見た分解斜視図である。従来例と同じ番号を付したものは、従来例と同じものであり、詳細な説明を省略する。
図１−図３において、押圧部材６を設けた点が前記従来例と異なっている。押圧部材６は、金属製の弾性体で製作され、コネクタ４に挿着された各々２ケのＳＤメモリーカード５の上方に設けられ、これら２ケのＳＤメモリーカード５に覆い被さるような形状となっている。
本発明は、ただ単に押圧部材６をＰＣカードのＳＤメモリーカード５に被せるという単純な構成ではすまされない課題があった。すなわち、ＳＤメモリーカード５やＰＣカードは規格によりその寸法が厳格に規定され、当然ながら押圧部材６を設けるための余分なスペースは空けられていない。このために、押圧部材６をＰＣカードに配置するにはかなりの工夫が必要となる。この点について先ず説明する。
図４は本発明のＰＣカードに収納したＳＤメモリーカードとフレーム及びカバーの断面図を示す。ＰＣカードの外形形状は、前記のようにＰＣカード規格によってその寸法が規定されており、本発明のようにＰＣカードにＳＤメモリーカード５を４ケ挿入する場合、ＳＤメモリーカード５の占有面積が大きく、押圧部材６をプリント基板３に固定する係止手段である第１から第４の係止片６ｄ１−６ｄ４を配置する十分なスペースを確保することが困難である。
ＳＤメモリーカード５の形状は、ＳＤメモリーカード規格によって規定されている。ＳＤメモリーカード５は表側を上段部５ｂとして、上段部５ｂと下段部５ｃの２段構成となっている。ただし、図４では、プリント基板３上にＳＤメモリーカード５を下段部５ｃが上側になるように裏向きに設置している。図示する如く、上段部の方が下段部より横幅が大きい。即ち、上段部５ｂは厚み１．４ｍｍで横幅２４ｍｍ、下段部５ｃは厚さ０．７ｍｍで横幅２２．５ｍｍであり、下段部は両端に段部となっている。
一方、ＰＣカードは、ＰＣカード規格により、中央部の厚さの違いによって３種類あり、薄い順にｔｙｐｅＩ、ＩＩ、ＩＩＩの種類がある。本発明では、一般によく使用されるｔｙｐｅＩＩを使用して説明する。なお、ｔｙｐｅＩＩより厚いｔｙｐｅＩＩＩでも同様の構成が可能である。ｔｙｐｅＩＩの形状は、上段部１６、中段部１７、下段部１８の３段構成となっており、上段部及び下段部は、最大厚さ０．８５ｍｍで最大幅Ｅは４８ｍｍ、中段部は厚さ３．３ｍｍ、幅５４ｍｍである。
ＳＤメモリーカード５を２ケ横に並べると、２ケのＳＤメモリーカード５の上段の両端部の幅は４８ｍｍとなるが、２ケのＳＤメモリーカード５の間には、部品の精度ばらつきのため若干隙間を設ける必要がある。例えばこの実施の形態では０．１５ｍｍとしたので、２ケのＳＤメモリーカード５の上段部５ｂの両端部の幅Ｄは４８．１５ｍｍとなる。そのため、ＰＣカードの上段部１６及び下段部１８の幅Ｅ（４８．００ｍｍ）内には２ケのＳＤメモリーカードの上段部５ｂを配置することはできないが、中段部１７は上段部１６より幅が多少広いので、中段部１７内なら２ケのＳＤメモリーカードを配置することが可能である。
また、この場合、２ケのＳＤメモリーカード５の下段部５ｃの両側端面の幅Ｆは４６．６５ｍｍとなる。幅Ｅから幅Ｆを引き、２で割ると０．６７５ｍｍとなる。ＰＣカードの板厚が０．２ｍｍとすると、ＰＣカードの内壁とＳＤメモリーカードの下段部５ｃとの間の隙間は０．４７５ｍｍとなる。この場合、例えば、押圧部材６を厚さを０．２ｍｍの薄板で構成すると、前記のように片側に０．４７５ｍｍの隙間を確保しているので、０．２７５ｍｍの隙間を残して、押圧部材６がＰＣカードの上段横幅Ｅに入る寸法となる。
この位置関係で、押圧部材６を安定した状態でプリント基板３に固定するためには、係止手段である係止片６ｄ１−６ｄ４を、２ケのＳＤメモリーカードの両端面の外側の位置でプリント基板３に固定する必要がある。
図５は、Ｇ部で示すように、ＳＤメモリーカードの段部形状に沿って第１と第２の係止片６ｄ１、６ｄ２を延長した場合を仮定した押圧部材の断面図である。しかし、この図５に示すように、第１と第２の係止片６ｄ１、６ｄ２の曲げ部の箇所が増えると、容易に高精度で押圧部材６を加工することができない。加工するとしても製造コストが高くつくことになる。
また、精度が確保できず、押圧部材６とＰＣカードの天板間の隙間が少ないと、押圧部材６の第１と第２の係止片６ｄ１、６ｄ２の段部形状に曲げた部分とＰＣカードの天板の曲げ部が当接して組立てができなくなる。そのため、ＰＣカード内でプリント基板３、ＳＤメモリーカード５、押圧部材６の配置を下方向に移動させて、押圧部材６とＰＣカードの天板間の隙間を確保しなければならない。その結果、プリント基板３の下面とＰＣカードの下面間の隙間が少なくなり、プリント基板３下面に実装する電気部品の高さがその分、制限されることになり、実装できる部品が限られるという課題が生じる。従って、図５に示すような押圧部材の構成では実施化は不適切である。
そこで、次に説明するように、本発明者はＳＤメモリーカード５を２ケ並べたときに生じるＳＤメモリーカード５の筐体に形成されているノッチ及び書込み禁止スイッチの切り欠き部で生じるスペースに第１、第２、第３の係止片６ｄ１−６ｄ３を配置することにより、狭いスペース内で押圧部材６が固定できることに着目した。
図６はＳＤメモリーカードを２ケ並べたときの位置関係を示す説明図である。同図は、２ケのＳＤメモリーカード５をその長辺が互いに隣接するように並べると、書込み禁止スイッチの切り欠き部１０及びノッチ１１により隙間１３が生ずることを示している。２ケのＳＤメモリーカード５の間にできる隙間１３及び右側のＳＤメモリーカード５の隙間１０に押圧部材６の第１と第３の係止片６ｄ１、６ｄ３を下ろし、さらに左側のＳＤメモリーカード５のノッチ１１に隣接する端子側の突部に押圧部材６の第２の係止片６ｄ２を係合させることにより、狭い構成スペースで押圧部材６の固定が可能となる。
そこで、図７のように、２ケのＳＤメモリーカード５のノッチ１１及び書込み禁止スイッチの切り欠き部１０の隙間に第１と第３の係止片６ｄ１、６ｄ３を配置し、ノッチ１１に隣接する端子側の突部に押圧部材６の第２の係止片６ｄ２を係合させることにより、下段部５ｃの外周面に沿って第１と第３の係止片６ｄ１、６ｄ３を設けることが可能となり、係止片６ｄ１、６ｄ３の形状も単純となって精度も確保できる。プリント基板３の配置を下げる必要もなく、プリント基板３の裏面に実装する部品高さもその分高く構成できることになる。このとき、押圧部材６の横幅は２ケのＳＤメモリーカード５の上段の横幅よりも小さくコンパクトに構成できる。
なお、ＳＤメモリーカードの書込み禁止スイッチは、書込み可能な状態と書込み禁止状態をＳＤメモリーカード５の内部で検出して切り替えるのではなく、ＳＤメモリーカード５の外側に設置された検出手段によって切り替える構成であり、本発明においては、この書込み禁止スイッチは使用しないため、書込み禁止スイッチの切り欠き部１０の隙間に押圧部材６の第１の係止片６ｄ１を下ろしても書込み動作には支障はない。
（構成の説明）
以上のような課題をふまえて、押圧部材６の詳細な構成を説明する。
図１−図３において、６ａは押圧部材６の本体である本体部を示している。この本体部６ａは長方形状をしており、長手方向の寸法は隣り合って並列に配置されたＳＤメモリーカード５の幅と略同じであって、短い方向の寸法は、ＳＤメモリーカード５の端子５ａが露出可能な寸法になっている。以下において、長手方向の辺を端辺と称し、短い方の辺を側辺と称して説明する。
本体部６ａには、弾性体である板ばね部６ｂ（押圧片）が形成されている。板ばね部６ｂはＳＤメモリーカード５の上面と当接しＳＤメモリーカード５をプリント基板３に押圧する。板ばね部６ｂは本体部６ａを切り起して形成されたもので、１個のＳＤメモリーカード５に対して３個づつ設けられている。即ち、３個の板ばね部６ｂが、本体部６ａの側辺の中央を結ぶ中心線を境に、逆Ｌ字形に対称に配置されている。
また、押圧部材６は本体部６ａの外周縁の３辺を直角に折り曲げて構成された側板部６ｃを有する。側板部６ｃはＳＤメモリーカード５の端子５ａが位置する端部を除く３辺に形成され、ＳＤメモリーカード５の外周縁部の形状に合わせて形成されている。
側板部６ｃの一方の側辺の先端にＬ字形の第１の係止片６ｄ１が突出して形成されている。また、端子５ａ側の本体部６ａの端辺中央にＬ字形の第３の係止片６ｄ３が切り起しにより形成されている。これらの第１と第３の係止片６ｄ１、６ｄ３は、端子５ａ方向に直角に折れ曲がり、プリント基板３に向かう方向に延びている。これらの第１と第３の係止片６ｄ１、６ｄ３は、前記のように、ＳＤメモリーカード５の筐体に形成されているノッチ１１及び書込み禁止スイッチの切り欠き部１０に対応する位置に形成されている。
また、端子５ａと反対側の側板部６ｃの端辺の中央にはＴ字形の第４の係止片６ｄ４が突出して形成されている。第４の係止片６ｄ４は、各々２ケの前記ＳＤメモリーカード５の角部のコーナアール部によりできた隙間に対応する位置に形成されている。
これらの第１、第３、第４の係止片６ｄをプリント基板に設けられた穴部３ａに固定することにより、押圧部材６がプリント基板３に固定され、ＳＤメモリーカード５がプリント基板３に圧接固定される。
また、側板部６ｃの他方の側辺の先端には、第２の係止片６ｄ２が形成されている。この第２の係止片６ｄ２は長方形に形成された片の中央には穴６ｉが形成され、ＳＤメモリーカード５のノッチ１１に隣接する端子５ａ側の突部５ｄと係合することにより、押圧部材６がＳＤメモリーカード５及びプリント基板３と係合する。なお、前記ノッチ１１に、前記第２の係止片６ｄ２の一部分が嵌まり込んでいる。
また、側板部６ｃの一部を構成する両側部の板ばね部６ｅ及び端部側の板ばね部６ｆ（押圧片）は弾性体であって、ＳＤメモリーカード５を内方に押すために僅かに内側に曲げられている。
本体部６ａの長手方向中央の端辺寄りには、ＳＤメモリーカード５の段部端面に当接する当接部６ｇが切り起しにより形成されている。
図８は隣接する２ケのＳＤメモリーカード５に、押圧部材６が係合した状態を示す平面図である。同図において、２ケのＳＤメモリーカード５は本体部６ａに嵌めこまれている。
押圧部材６の当接部６ｇは２ケのＳＤメモリーカード５の間にあって、各々のＳＤメモリーカード５の段部端面に当接部６ｇの両端縁が当接している。
各々のＳＤメモリーカード５は、押圧部材６の両側部の板ばね部６ｅによって、カード５の側面（長辺側）が内側へ向かって押圧される。即ち、図８において、左側のＳＤメモリーカード５は矢印Ａ方向に、右側のＳＤメモリーカード５は矢印Ｂ方向に附勢され、２ケのＳＤメモリーカード５は互いに押圧し合う方向に押圧される。その結果、当接部６ｇの両端縁に各々のＳＤメモリーカード５の段部端面が圧接し、ＳＤメモリーカード５は板ばね部６ｅと当接部６ｇの端縁とで挟持される。別の見方をすれば、２ケのＳＤメモリーカード５が当接部６ｇを挟持していることになる。
なお、押圧部材６は、２ケのＳＤメモリーカード５を各々３ケ所の板ばね部６ｂでプリント基板３に押圧している。合計６ケの押圧部材６は、ＳＤメモリーカード５をプリント基板３に固定する第１の係止片６ｄ１、第２の係止片６ｄ２、第３の係止片６ｄ３、第４の係止片６ｄ４、の近傍に形成されている。板ばね部６ｂをこのように配置することにより、ＳＤメモリーカード５を押圧する反力が第１から第４の係止片６ｄ１−６ｄ４の固定点近傍に作用することになり、プリント基板３の変形が低減でき、プリント基板３方向へ安定してＳＤメモリーカード５の押圧が可能となる。
なお、従来例で説明したように、ＳＤメモリーカード５の端子側は、コネクタ４に形成された図示しない位置決め部によりＳＤメモリーカード５の短辺方向（ＰＣカードの長手方向と直角方向）に移動しないように構成されている。
そして、その位置決め部の一部は、当接部６ｇと同様な形状で端子部の近くの２つのＳＤメモリーカード５の間に設けられ、当接部６ｇと共に２つのＳＤメモリーカード５をバランスよく挟持している。
他方、端部側の板ばね部６ｆは２ケのＳＤメモリーカード５の端子と反対側、即ち背面部を押圧し、図８の矢印Ｃ方向に附勢する。ＳＤメモリーカード５の端子側の端面は、図１５で示すようにコネクタ４のハウジング部に当接しており、ＳＤメモリーカード５はコネクタ４のハウジング部に圧接される。
（組立方法）
次に、ＰＣカードの組立方法について説明する。
以上のような構成において、組立時は予めプリント基板３にコネクタ４が実装固定された状態で、４ケのＳＤメモリーカード５をコネクタ４のコンタクト８に端子５ａが接触するように横方向からスライドして挿入する。その後、ＳＤメモリーカード５を覆うように押圧部材６を上方からＳＤメモリーカード５に被せる。まず、第２の係止片６ｄ２をＳＤメモリーカード５とプリント基板３に係合させ、第１、第３、第４の係止片６ｄ１、６ｄ３、６ｄ４をプリント基板３の穴３ａに貫通させる。
なお、押圧部材６をプリント基板３に固定する際は、板ばね６ｂがＳＤメモリーカード５の上面と当接するため、押圧部材６はプリント基板３から離れる方向に力を受ける。そのため押圧部材６をプリント基板３方向に押した状態で第１、第３、第４の係止片６ｄ１、６ｄ３、６ｄ４の先端を曲げるようにする。このようにすると、折り曲げた第１、第３、第４の係止片の先端部がプリント基板３の裏面に当接し、板ばね６ｂがＳＤメモリーカード５をプリント基板３の方向に押圧しているため、押圧部材６はプリント基板方向に力を受け、その結果、押圧部材６がＳＤメモリーカード５をプリント基板３に圧接して固定することになる。そして第１、第３、第４の係止片の先端部を切り欠き部から水平面内で曲げることにより、プリント基板３と接触する曲げ部の高さはほぼ一定となり、その結果、押圧部材６のプリント基板３からの高さもばらつきが少なく、一定の力でＳＤメモリーカード５をプリント基板３に押圧することができる。
図９はプリント基板３に押圧部材６の係止片を固定した状態を示す斜視図である。同図において、穴部３ａはプリント基板３に対するコネクタ４の位置決めに対応して精度よく形成されている。その穴部３ａに押圧部材６の第１、第３、第４の係止片６ｄ１、６ｄ３、６ｄ４を貫通させ、その後、係止片６ｄ１、６ｄ３、６ｄ４に設けられた切り欠き部からこの係止片を水平面内で曲げて固定する。穴部３ａを貫通させることにより、押圧部材６をプリント基板３に対して高精度に位置あわせすることが可能となり、また押圧部材６がプリント基板３から外れにくくなる。
なお、押圧部材６を固定するときの高さ変化を無視できるときは、係止片６ｄ１、６ｄ３、６ｄ４の先端部を切り欠き部からプリント基板方向に曲げて固定してもよい。
押圧部材６はステンレスやメッキ加工を施した金属などの導電性部材で形成する一方、図９において、プリント基板３の穴部３ａの周囲にグランド部（図示せず）を形成し、係止片６ｄ１、６ｄ３、６ｄ４先端がプリント基板３のグランド部に接触するように固定する。そのように構成することにより、ＳＤメモリーカード５は導電性部材で覆われることになり、外部からの静電気の影響を受けにくくなる。更に、係止片６ｄ１、６ｄ３、６ｄ４の先端部とグランド部との間に半田付け等をすることにより、より確実に接触させることが可能となる。
（作用）
以上のような構成とすることにより、４ケのＳＤメモリーカード５は各々２ケずつ押圧部材６により挟持され且つプリント基板３及びコネクタ４のハウジングに押圧固定されることになり、ＳＤメモリーカード５の端子５ａとコネクタ４のコンタクトは位置精度を確保した状態でプリント基板３上で固定できることになる。従って、カバー２とＳＤメモリーカード５はその間にクッション材等で当接していないのでカバー２のソリ等による影響も受けない。また、カバー２に外力が作用しても、カバー２が直接ＳＤメモリーカード５を押圧しないため、ＳＤメモリーカード５の端子５ａとコネクタ４のコンタクトの接触状態が変化して接触不良になったり、コンタクトが変形したりする可能性を低減できる。
また、押圧部材６の素材として導電性部材を使用し、プリント基板３のグランド部と接触した状態で固定することにより、外部の静電気の影響を受けにくくなる。
（変形例）
本実施の形態では、板ばね部６ｅにより２ケのＳＤメモリーカード５の長辺を内側へ押圧し、２ケのＳＤメモリーカード５の間にある当接部６ｇに対して圧接するように構成したが、当接部６ｇの代わりにＳＤメモリーカード５を外側へ押圧する板ばねを形成し、板ばね部６ｅを廃止して壁部とし、２ケのＳＤメモリーカードを壁部と板ばねとで挟持するように構成してもよい。
また、当接部６ｇを廃止し、２ケのＳＤメモリーカードの長辺部分が互いに接するようにし、板ばね６ｅによって２ケのＳＤメモリーカードが互いに押圧し合うように構成してもよいが、ＳＤメモリーカードが当接部６ｇを介して押圧し合う本実施の形態の構成のほうが位置精度を確保して確実に固定できるため、望ましい。
なお、押圧部材６とＳＤメモリーカード５の２者、またはＳＤメモリーカード５とプリント基板３の２者、または押圧部材６、ＳＤメモリーカード５、プリント基板３の３者を接着等で固定することにより、ＳＤメモリーカード５の固定がより確実になる。
また、コネクタ４と押圧部材６を予め一体化して両者を固定しておく構成としてもよい。しかしながら、この場合ＳＤメモリーカード５を入れた状態でコネクタ４と押圧部材６をプリント基板３に固定する必要があるためコネクタ４の実装が困難となり、ＳＤメモリーカード５の交換時もコネクタ４を外す必要が生じて容易には交換できない。一方、本構成は組立性、メンテナンス性ともに優れたＰＣカードを提供できるため、より望ましい。
実施の形態２
図１０は板状部材を使用した実施の形態２による分解斜視図である。同図において、板状部材１２を追加した点が実施の形態１と異なる。
板状部材１２は、四角形の本体に、紐状部が形成されている。板状部材１２には、プリント基板３上の穴３ａと略同じ位置に穴１２ａが形成され、押圧部材６の第３、第４の係止片６ｄ３、６ｄ４はプリント基板３の穴３ａ及び板状部材１２の穴１２ａを貫通した後、切り欠き部から水平面内、又は板状部材１２の方向に曲げられて板状部材１２の端面に圧接固定される。
なお、本発明では、板状部材１２に押圧部材６の係止片６ｄ３、６ｄ４の先端を曲げて固定したが、プリント基板３裏面を摺動可能な板状部材に摺動方向に長穴を形成し、係止片６ｄ３、６ｄ４の切り欠きはその摺動方向に形成することにより、係止片６ｄ３、６ｄ４を板状部材１２の長穴に通した後、板状部材を摺動させて係止して固定してもよい。
この構成にて、扱状部材１２を導電性部材で形成し、押圧部材６の係止片又は板状部材１２をプリント基板３のグランド部と接触させた状態で固定することにより、外部からの静電気の影響を受けにくくすることができる。
このように構成することにより、ＳＤメモリーカード５とプリント基板３は押圧部材６と板状部材１２で挟持されて圧接されることになり、プリント基板３には曲げ応力が生じにくくなるため、押圧部材６を取り付けた後にプリント基板３が変形するということが生じにくくなる。その結果、プリント基板３上のパターンや実装部品にストレスが発生しにくく、より高い信頼性を確保できる。
実施の形態３
図１１は、押圧部材をプリント基板に対して固定する方法の別の実施例を示す分解斜視図である。前述のように押圧部材６はＳＤメモリーカード５を挟持してプリント基板３に固定する。本実施の形態では、第２の係止片６ｄ２の穴６ｉの幅は、ＳＤメモリーカード５の突起部５ｄがほぼ隙間なく係合するように形成されており、一方、プリント基板３の突起３ｅの幅は穴６ｉよりも小さく形成されている。また、第３の係止片６ｄ３及び第４の係止片６ｄ４の先端部には、プリント基板３の厚みよりも僅かに大きく形成された溝幅を有する切り欠き部が形成されている。また、プリント基板３上には、第３の係止片６ｄ３及び第４の係止片６ｄ４と係合可能な長穴３ｂが形成されている。
組立て時は、予めＳＤメモリーカード５をコネクタの所定位置から若干隙間を開けてセットする。そして第２の係止片６ｄ２をＳＤメモリーカード５のノッチ１１に隣接する突起５ｄ及びプリント基板３の切り欠き部３ｃに隣接する突起３ｅに同時に引っ掛ける。このとき、第３の係止片６ｄ３、第４の係止片６ｄ４をプリント基板３に設けられた長穴３ｂに挿入し、且つ第２の係止片６ｄ２の一部６ｊがプリント基板３の突起３ｆの外側に位置するように、また第１の係止片６ｄ１がプリント基板３の突起３ｇの外側に位置するようにプリント基板３に対して押圧部材６を配置する。このとき、突起３ｆ及び３ｇにより、第１の係止片６ｄ１及び第２の係止片６ｄ２は弾性変形の範囲内で若干外に開いた状態になる。そして、押圧部材６をコネクタ４側に移動させる。第１の係止片６ｄ１は突起３ｇから離れ、切り欠き部３ｃに位置したところで変形が戻され切り欠き部３ｃ内に移動する。第２の係止片６ｄ２は、プリント基板３の突起３ｅの幅よりも穴６ｉの幅が大きく構成されているため、ＳＤメモリーカード５が係合したままプリント基板３上をコネクタ４側に移動可能である。第２の係止片６ｄ２は突起３ｆから離れ、切り欠き部３ｃに位置したところで変形が戻され切り欠き部３ｃ内に移動する。そして、第３、第４の係止片６ｄ３、６ｄ４の先端に構成された切り欠き部の溝幅はプリント基板３の厚みより僅かに大きく構成されており、その切り欠き部の溝がプリント基板３と係合してコネクタ４側に移動することになる。第１の係止片６ｄ１及び第２の係止片６ｄ２が切り欠き部３ｃに係合したところで移動が終了し、所定の位置で固定されることになる。
第１の係止片６ｄ１と係合する切欠き部の幅は、第１の係止片の幅寸法とほぼ同じで形成されており、第２の係止片６ｄ２と係合する切欠き部３ｃの幅も第２の係止片６ｄ２の幅寸法とほぼ同じで形成されているため、第２の係止片６ｄ２及び第１の係止片６ｄ１がプリント基板３の切欠き部に隙間なく係合するため、押圧部材６はコネクタと反対側に移動できず、所定の位置に固定されることになる。即ち、２ケのＳＤメモリーカード５は押圧部材６の板ばね部６ｆでコネクタ４のハウジング部に押圧される。押圧部材６はコネクタ４から離れる方向に反力が作用するが、第２の係止片６ｄ２及び第１の係止片６ｄ１がプリント基板３の切欠き部３ｃで係合して移動できないので、押圧部材６はＳＤメモリーカード５をコネクタ４のハウジング部に押圧させた状態でプリント基板３に固定できることになる。
図１２は押圧部材がプリント基板に固定された状態を示す斜視図である。
以上のような実施の形態よると、係止片の先端を曲げることなく、押圧部材をコネクタ側に摺動させるだけで所定の位置にＳＤメモリーカードを固定できるため、係止片を曲げるというような作業をしなくてもＳＤメモリーカードをプリント基板に固定できることから、簡単に且つ精度よくＳＤメモリーカードを固定できるという作用を有する。
上記の実施の形態１−３では、押圧部材６に形成された係止手段の係止片は、本体部６ａに逆Ｌ字形に３箇所、左右対称に計６箇所に設けられているが、本発明は係止片をＳＤメモリーカードの角部の４箇所に対応する位置に計８箇所に設けてもよい。何れにしろ、係止片は、ＳＤメモリーカード内に内蔵されたＩＣを保護するために、ＳＤメモリーカード５の外周縁部を押圧するのが好ましい。
【産業上の利用可能性】  本発明は、４ケのＳＤメモリーカードを内部に搭載し、ＳＤメモリーカードの端子部とコネクタのコンタクトとの接触の安定性を図った、信頼性の高いをＰＣカードを提供するものである。
【図１】
2005004043.tif 000003
【図２】
2005004043.tif 000004
【図３】
2005004043.tif 000005
【図４】
2005004043.tif 000006
【図５】
2005004043.tif 000007
【図６】
2005004043.tif 000008
【図７】
2005004043.tif 000009
【図８】
2005004043.tif 000010
【図９】
2005004043.tif 000011
【図１０】
2005004043.tif 000012
【図１１】
2005004043.tif 000013
【図１２】
2005004043.tif 000014
【図１３】
2005004043.tif 000015
【図１４】
2005004043.tif 000016
【図１５】
2005004043.tif 000017
【手続補正書】
【提出日】平成17年8月12日(2005.8.12)
【手続補正１】
【補正対象書類名】特許請求の範囲
【補正対象項目名】全文
【補正方法】変更
【補正の内容】
【特許請求の範囲】
【請求項１】
開口部をカバーで蓋ったフレームと、フレーム内部に固定されたプリント基板と、ハウジング部がプリント基板の略中央部に固定され、ＰＣカードの長手両方向に伸びるコンタクトを平行に並べて構成したコネクタと、端子部が前記コネクタに接触可能であって前記コネクタの両側に２ケずつ前記プリント基板上に配置した４ケのＳＤメモリーカードと、前記コネクタを境にして同じ側に配置された各々２ケの前記ＳＤメモリーカードを挟持すると共に前記プリント基板及び前記コネクタのハウジング部に前記ＳＤメモリーカードを押圧固定する押圧部材とを具備することを特徴とするＰＣカード。
【請求項２】
前記押圧部材は、コネクタの両側に配置した各々２ケの前記ＳＤメモリーカードの上部を覆う本体部と、前記本体部から折り曲げて構成された側板部と、前記本体部及び前記側板部に一体に形成された弾性体からなる押圧片とを有することを特徴とする請求項１記載のＰＣカード。
【請求項３】
前記押圧部材は、この押圧部材を前記プリント基板に固定するための下方に伸びる係止手段を前記本体部及び前記側板部のうちの少なくともいずれか一方に備えたことを特徴とする請求項２記載のＰＣカード。
【請求項４】
前記係止手段の少なくとも１ケの係止片が２ケの前記ＳＤメモリーカードを並べた時にノッチ及び書込み禁止スイッチの切り欠き部のうち少なくともいずれか一方で形成される隙間を通ることを特徴とする請求項３記載のＰＣカード。
【請求項５】
前記係止手段のうち、前記押圧部材のコネクタ側の端辺の一方の端に形成された第１の係止片は、前記コネクタを境にして同じ側に配置された各々２ケの前記ＳＤメモリーカードの書込み禁止スイッチの外側の切り欠き部の隙間を通ってプリント基板の穴部に固定され、前記押圧部材のコネクタ側の端辺の他方の端に形成された第２の係止片は、前記各々２ケの前記ＳＤメモリーカードの外側のノッチに隣接する端子側の突部に係合し、前記第１の係止片と第２の係止片の距離が、２ケのＳＤメモリーカードの横幅よりも小さいことを特徴とする請求項３に記載のＰＣカード。
【請求項６】
前記係止手段のうち、前記押圧部材のコネクタ側の端辺の中央部に形成された第３の係止片は、各々２ケの前記ＳＤメモリーカードの書込み禁止スイッチの内側の切り欠き部とＳＤメモリーカードの内側のノッチによってできる隙間を通ってプリント基板の穴部に固定されたことを特徴とする請求項３に記載のＰＣカード。
【請求項７】
前記係止手段のうち、前記押圧部材のコネクタ側とは反対側の端辺の中央部に形成された第４の係止片は、各々２ケの前記ＳＤメモリーカードの角部のコーナアール部によりできた隙間を通ってプリント基板の穴部に固定されたことを特徴とする請求項３に記載のＰＣカード。
【請求項８】
前記プリント基板に、前記第１及び第３及び第４の係止片が貫通する穴部を形成すると共に、前記第１及び第３及び第４の係止片の先端部に切り欠き部を構成し、前記第１及び第３及び第４の係止片を前記プリント基板の穴部に貫通させた後、前記第１及び第３及び第４の係止片の先端部を切り欠き部からプリント基板に平行な面内又はプリント基板方向に曲げることにより、前記押圧部材を前記プリント基板に固定することを特徴とする請求項５、６、７のいずれかに記載のＰＣカード。
【請求項９】
押圧片は、前記第１−第４の係止片の近傍に設けられた請求項５、６、７のいずれかに記載のＰＣカード。
【請求項１０】
前記プリント基板に前記第１の係止片及び第２の係止片と各々ほぼ隙間なく係合可能な切り欠き部と前記第３の係止片が貫通する長穴を形成すると共に、前記第３の係止片の先端部に切り欠き部を構成し、前記第３の係止片を前記プリント基板の長穴に貫通させた後、押圧部材をコネクタ方向に移動させ前記第１及び第２の係止片の先端部をプリント基板の前記切り欠き部に係合して固定することを特徴とする請求項５または６に記載のＰＣカード。
【請求項１１】
前記プリント基板の裏側に前記プリント基板に接するように設けられた板状部材をさらに有し、前記プリント基板及び前記板状部材に前記第３及び４の係止片が貫通する穴部を形成すると共に、前記第３及び４の係止片の先端部に切り欠き部を構成し、前記第３及び４の係止片を前記プリント基板の穴部と前記板状部材の穴部に貫通させた後、前記係止片の先端部を切り欠き部から前記板状部材に平行な面内又は前記板状部材の方向に曲げることにより、前記押圧部材を前記板状部材に固定することを特徴とする請求項６または７記載のＰＣカード。
【請求項１２】
前記押圧部材を導電性部材で構成し、前記押圧部材の係止手段前記プリント基板のグランドに接触した状態で固定したことを特徴とする請求項１、２、３の何れかに記載のＰＣカード。
【請求項１３】
前記板状部材を導電性部材で構成し、前記板状部材を前記プリント基板のグランドに接触した状態で固定したことを特徴とする請求項１１記載のＰＣカード。
【請求項１４】
ＳＤメモリーカードをプリント基板側に押圧する押圧片はＳＤメモリーカードの角部に対応する位置に設けられたことを特徴とする請求項１、２、３の何れかに記載のＰＣカード。
【手続補正２】
【補正対象書類名】明細書
【補正対象項目名】全文
【補正方法】変更
【補正の内容】
【書類名】          明細書
【技術分野】
【０００１】
本発明は、携帯型情報処理機器等に使用するＰＣカードに関し、特に内部にＳＤメモリーカードを複数個搭載して大容量のメモリカードとして使用するＰＣカードの構成に関する。
【背景技術】
【０００２】
昨今、ＳＤメモリーカード等のフラッシュメモリを使用したメモリーカードをパーソナルコンピュータ等に装着するために、ＰＣカード型のアダプタが利用されている。これらの中には、一つのアダプタに複数のメモリーカードを同時に装着可能なものがある（例えば、特開平９−１０２０１９号公報を参照）。
【０００３】
一方、メモリーカードの大容量化が進み、これらのメモリーカードに対して映像等の大量のデータを記録再生する機器が増加している。そして、さらなる大容量化のニーズに応えるものとして、メモリーカードを単体で使用するのではなく、ＰＣカード内に複数のメモリーカードを搭載して大容量のメモリーカードとして使用できるようにしたものが提案されている。
【０００４】
図１３は内部に４ケのＳＤメモリーカードを搭載する、従来のＰＣカードの分解斜視図、図１４は、４ケのＳＤメモリーカードをプリント基板に搭載したＰＣカードの要部斜視図を示す。このＰＣカードは、フレーム１に、カバー２がスナップイン等の方式で固定され、ＰＣカードの薄型の筐体を形成している。フレーム１にはプリント基板３が接着等により固定されている。また、プリント基板３には、その中央部にコネクタ４のハウジングが位置決めして固定されている。ＳＤメモリーカード５は、コネクタ４の両側に対向して２ケずつ、計４ケがプリント基板３上に配置されている。即ち、２ケのＳＤメモリーカード５がその長辺が互いに隣接するように配置され、この２ケ一組のＳＤメモリーカード５が、コネクタ４を挟んで対向するように配置される。
【０００５】
図１５は、ＳＤメモリーカード５が挿着されたコネクタ４の断面図である。同図において、板状のバネでできたコンタクト８がコネクタ４に形成されたスリットに挿入されてハウジングに固定されておいる。このコンタクト８は、ＳＤメモリーカード５の各々の端子５ａに接触可能に平行に並べて形成されている。各コンタクト８はプリント基板上に設けられた図示しない回路パターンを経由して、プリント基板３裏面の図示しないコントロールＬＳＩ等に接続されている。
【０００６】
組立時には、まずプリント基板３にコネクタ４を実装し、その後、ＳＤメモリーカード５をプリント基板３に沿わせながら横方向からコネクタ４に挿入する。ＳＤメモリーカード５の先端部がコネクタ４のハウジングに当接することにより挿入が完了し、この状態で端子５ａがコンタクト８に接触するような構成となっている。なお、図示していないが、ＳＤメモリーカード５をコネクタ４に挿入完了時にＳＤメモリーカード５が短辺方向（ＰＣカードの長手方向と直角方向）に移動しないように、コネクタ４のハウジングにはＳＤメモリーカード５の端面と接触して位置規制を行う位置きめ部が形成されている。カードコネクタ９は、プリント基板３の一端部に固定されており、このコネクタ９を経由してコンピュータ等の外部装置と接続が可能である。図１４に示すように４個のＳＤメモリーカード５をコネクタ４に挿入完了したプリント基板３を、図１３に示すようにフレーム１内に嵌め込み、プリント基板３をフレーム１に固定する。図１３に示すように、クッション材２０はカバー２の裏面に固定され、カバー２がフレーム１に係合したときに４ケのＳＤメモリーカード５を上部から押圧しプリント基板３に固定する。
【特許文献１】  特開平９−１０２０１９号公報
【発明の開示】
【発明が解決しようとする課題】
【０００７】
しかしながら、従来のこのＰＣカードとＳＤメモリーカード５の構成ではカバー２のソリなどによる部品精度のばらつきによってクッション材２０による押圧力が変化し易く、場合によっては十分な押圧力が得られないことがあった。その結果ＳＤメモリーカード５がＰＣカードの内部で動いてしまい、コネクタ４のコンタクト８とＳＤメモリーカード５の端子５ａとの間で接触不良が発生する可能性があった。
【０００８】
また、カバー２に何らかの外力が加わったときにクッション材２０を介してＳＤメモリーカード５が押されてプリント基板３がたわみ、その結果ＳＤメモリーカード５の端子５ａとコネクタ４のコンタクト８との接触状態が変化し、接触不良になることがある。場合によっては、カバー２に外力が加わってコンタクト８が変形する可能性があった。
【０００９】
さらに、ＳＤメモリーカード５はフレーム１及びカバー２で覆われているだけのため、構成上、外部からの静電気の影響を受けないようにするための余裕を確保しづらいという課題があった。
【００１０】
本発明は上記課題に鑑み、ＳＤメモリーカードの端子部とコネクタのコンタクトの接触の安定性を図り、４ケのＳＤメモリーカードを内部に搭載しつつ信頼性の高いＰＣカードを提供することを目的とする。また、内部に搭載したＳＤメモリーカードが外部からの静電気の影響を受けにくいＰＣカードの提供を目的とする。
【課題を解決するための手段】
【００１１】
この課題を解決するために本発明は、開口部をカバーで蓋ったフレームと、フレーム内部に固定されたプリント基板と、ハウジング部がプリント基板の略中央部に固定され、ＰＣカードの長手両方向に伸びるコンタクトを平行に並べて構成したコネクタと、端子部がコネクタに接触可能であってコネクタの両側に２ケずつプリント基板上に配置した計４ケのＳＤメモリーカードと、コネクタに対して同じ側に配置された各々２ケのＳＤメモリーカードを挟持すると共にプリント基板及びコネクタのハウジング部にＳＤメモリーカードを押圧固定する押圧部材とを具備したものである。
【００１２】
また、本発明は押圧部材を導電性部材で構成し、押圧部材の係止手段をプリント基板のグランドに接触した状態で固定したものである。
【発明の効果】
【００１３】
以上のように本発明によれば、押圧部材によりＳＤメモリーカードをプリント基板に押圧固定することにより、プリント基板上にコネクタとＳＤメモリーカード４ケが位置精度を確保した状態でコンパクトに固定でき、端子部とコンタクトの接触不良が生じにくいため、信頼性を確保した状態で、４ケのＳＤメモリーカードをＰＣカード内に収納できる。また、予めプリント基板上にコネクタを実装した後ＳＤメモリーカードが固定できるため組立性に優れ、押圧部材をプリント基板から外せばＳＤメモリーカードが取り外せるためメンテナンスが容易にできる、優れたＰＣカードを提供できるという有利な効果が得られる。
【発明を実施するための最良の形態】
【００１４】
本発明の第１の発明は、開口部をカバーで蓋ったフレームと、フレーム内部に固定されたプリント基板と、ハウジング部がプリント基板の略中央部に固定され、ＰＣカードの長手両方向に伸びるコンタクトを平行に並べて構成したコネクタと、端子部が前記コネクタに接触可能であって前記コネクタの両側に２ケずつ前記プリント基板上に配置した４ケのＳＤメモリーカードと、前記コネクタを境にして同じ側に配置された各々２ケの前記ＳＤメモリーカードを挟持すると共に前記プリント基板及び前記コネクタのハウジング部に前記ＳＤメモリーカードを押圧固定する押圧部材とを具備するものである。上記構成により、プリント基板上に固定されたコネクタに対し、各々２ケのＳＤメモリーカードは押圧部材により挟持され且つプリント基板及びコネクタのハウジングに押圧される結果、コネクタとＳＤメモリーカードがプリント基板上で位置精度を確保した状態で固定できることになり、部品精度のばらつきを受けにくく、外部の衝撃等に対しても位置がずれにくくなるという作用を有する。
【００１５】
本発明の第２の発明は、前記押圧部材は、コネクタの両側に配置した各々２ケの前記ＳＤメモリーカードの上部を覆う本体部と、前記本体部から折り曲げて構成された側板部と、前記本体部及び前記側板部に一体に形成された弾性体からなる押圧片とを有する構成としたものである。前記本体部及び前記側板部に弾性体の押圧片を一体に構成することにより、簡単な構成でＳＤメモリーカードをプリント基板及びコネクタハウジングに押圧できることからコンパクトで安価な押圧板が提供できる。
【００１６】
本発明の第３の発明は、押圧部材がこの押圧部材を前記プリント基板に固定するための下方に伸びる係止手段を前記本体部及び前記側板部のうちの少なくともいずれか一方に備えた構成としたものである。この構成により、係止手段がＳＤメモリーカードを前記プリント基板に確実に固定することができる。
【００１７】
本発明の第４の発明は、前記係止手段の少なくとも１ケの係止片が２ケの前記ＳＤメモリーカードを並べた時にノッチ及び書込み禁止スイッチの切り欠き部のうち少なくともいずれか一方で形成される隙間を通る。係止片をＳＤメモリーカードの切り欠き部の隙間を通すことにより、狭い構成スペースでコンパクトに押圧板を固定することができるという作用を有する。
【００１８】
本発明の第５の発明は、前記係止手段のうち、前記押圧部材のコネクタ側の端辺の一方の端に形成された第１の係止片は、前記コネクタを境にして同じ側に配置された各々２ケの前記ＳＤメモリーカードの書込み禁止スイッチの外側の切り欠き部の隙間を通ってプリント基板の穴部に固定され、前記押圧部材のコネクタ側の端辺の他方の端に形成された第２の係止片は、前記各々２ケの前記ＳＤメモリーカードの外側のノッチに隣接する端子側の突部に係合し、前記第１の係止片と第２の係止片の距離が、２ケのＳＤメモリーカードの横幅よりも小さいことを特徴とする。上記構成により、第４の発明の作用以外に、第１の係止片と第２の係止片の距離が、２ケのＳＤメモリーカードの横幅よりも小さくすることにより、押圧部材の外周部に段部を形成せずに、係止片を形成できる。
【００１９】
本発明の第６の発明は、前記係止手段のうち、前記押圧部材のコネクタ側の端辺の中央部に形成された第３の係止片は、各々２ケの前記ＳＤメモリーカードの書込み禁止スイッチの内側の切り欠き部とＳＤメモリーカードの内側のノッチによってできる隙間を通ってプリント基板の穴部に固定されたことを特徴とする。
【００２０】
本発明の第７の発明は、前記係止手段のうち、前記押圧部材のコネクタ側とは反対側の端辺の中央部に形成された第４の係止片は、各々２ケの前記ＳＤメモリーカードの角部のコーナアール部によりできた隙間を通ってプリント基板の穴部に固定されたことを特徴とする。
【００２１】
本発明の第８の発明は、前記プリント基板に、前記第１及び第３及び第４の係止片が貫通する穴部を形成すると共に、前記第１及び第３及び第４の係止片の先端部に切り欠き部を構成し、前記第１及び第３及び第４の係止片を前記プリント基板の穴部に貫通させた後、前記第１及び第３及び第４の係止片の先端部を切り欠き部からプリント基板に平行な面内又はプリント基板方向に曲げることにより、前記押圧部材を前記プリント基板に固定することを特徴とする。
【００２２】
前記のように係止片をプリント基板の穴部に貫通させて固定することによりプリント基板に対して精度の高い位置あわせが可能となり、押圧部材も外れにくくなる。また、切り欠き部から係止片の先端をプリント基板に平行な面内又はプリント基板方向に曲げて固定することにより、押圧部材をプリント基板に限られたスペース内で簡単に固定できるという作用を有する。特に係止片の先端をプリント基板に平行な面内で曲げて固定することにより、取り付けたときの押圧部材の高さもほぼ同じ高さになることから、ＳＤメモリーカードの押圧力も一定になり、安定した状態を保つことができるという作用を有する。
【００２３】
本発明の第９の発明は、押圧片が前記第１−第４の係止片の近傍に設けられている。押圧片をこのように配置することにより、ＳＤメモリーカードを押圧する反力が係止片の固定点近傍に作用することになり、プリント基板の変形が低減でき、プリント基板方向へ安定してＳＤメモリーカードの押圧が可能となる。
【００２４】
本発明の第１０の発明は、前記プリント基板に前記第１の係止片及び第２の係止片と各々ほぼ隙間なく係合可能な切り欠き部と前記第３の係止片が貫通する長穴を形成すると共に、前記第３の係止片の先端部に切り欠き部を構成し、前記第３の係止片を前記プリント基板の長穴に貫通させた後、押圧部材をコネクタ方向に移動させ前記第１及び第２の係止片の先端部をプリント基板の前記切り欠き部に係合して固定することを特徴とする。
【００２５】
上記構成によって、係止片の先端を曲げることなく、押圧部材をコネクタ側に摺動させるだけで所定の位置にＳＤメモリーカードを固定できる。このため、上記構成は係止片を曲げるというような作業をしなくてもＳＤメモリーカードをプリント基板に固定できることから、簡単に且つ精度よくＳＤメモリーカードをプリント基板に固定できるという作用を有する。
【００２６】
本発明の第１１の発明は、前記プリント基板の裏側に前記プリント基板に接するように設けられた板状部材をさらに有し、前記プリント基板及び前記板状部材に前記第３及び４の係止片が貫通する穴部を形成すると共に、前記第３及び４の係止片の先端部に切り欠き部を構成し、前記第３及び４の係止片を前記プリント基板の穴部と前記板状部材の穴部に貫通させた後、前記係止片の先端部を切り欠き部から前記板状部材に平行な面内又は前記板状部材の方向に曲げることにより、前記押圧部材を前記板状部材に固定することを特徴とする。
【００２７】
前記構成により、ＳＤメモリーカードとプリント基板を押圧部材と板状部材で挟持して固定できることになり、プリント基板に曲げ応力が生じにくいため、プリント基板上の電気部品やパターンにストレスがかからないという作用を有する。
【００２８】
本発明の第１２の発明は、前記押圧部材を導電性部材で構成し、前記押圧部材の係止手段前記プリント基板のグランドに接触した状態で固定したことを特徴とする。
前記構成により、導電体部材でＳＤメモリーカードを覆うように構成することにより、ＳＤメモリーカードが静電気の影響を受けにくくなるという作用を有する。
【００２９】
本発明の第１３の発明は、前記板状部材を導電性部材で構成し、前記板状部材を前記プリント基板のグランドに接触した状態で固定したことを特徴とする。
前記構成により、導電体部材でＳＤメモリーカードを覆うように構成することにより、ＳＤメモリーカードが静電気の影響を受けにくくなるという作用を有する。
【００３０】
本発明の第１４の発明は、ＳＤメモリーカードをプリント基板側に押圧する押圧片はＳＤメモリーカードの角部に対応する位置に設けられたことを特徴とする。前記構成により、ＳＤメモリーカード内のＩＣを外圧から保護することができる。
【００３１】
以下、本発明の実施の形態について、図面を用いて説明する。
実施の形態１
（背景説明）
図１は本発明のＰＣカードの構成要素の主要部の分解斜視図、図２はＰＣカードの構成要素の分解斜視図、図３は本発明のＰＣカードの主要部を裏側から見た分解斜視図である。従来例と同じ番号を付したものは、従来例と同じものであり、詳細な説明を省略する。
【００３２】
図１−図３において、押圧部材６を設けた点が前記従来例と異なっている。押圧部材６は、金属製の弾性体で製作され、コネクタ４に挿着された各々２ケのＳＤメモリーカード５の上方に設けられ、これら２ケのＳＤメモリーカード５に覆い被さるような形状となっている。
【００３３】
本発明は、ただ単に押圧部材６をＰＣカードのＳＤメモリーカード５に被せるという単純な構成ではすまされない課題があった。すなわち、ＳＤメモリーカード５やＰＣカードは規格によりその寸法が厳格に規定され、当然ながら押圧部材６を設けるための余分なスペースは空けられていない。このために、押圧部材６をＰＣカードに配置するにはかなりの工夫が必要となる。この点について先ず説明する。
【００３４】
図４は本発明のＰＣカードに収納したＳＤメモリーカードとフレーム及びカバーの断面図を示す。ＰＣカードの外形形状は、前記のようにＰＣカード規格によってその寸法が規定されており、本発明のようにＰＣカードにＳＤメモリーカード５を４ケ挿入する場合、ＳＤメモリーカード５の占有面積が大きく、押圧部材６をプリント基板３に固定する係止手段である第１から第４の係止片６ｄ1−６ｄ4を配置する十分なスペースを確保することが困難である。
【００３５】
ＳＤメモリーカード５の形状は、ＳＤメモリーカード規格によって規定されている。ＳＤメモリーカード５は表側を上段部５ｂとして、上段部５ｂと下段部５ｃの２段構成となっている。ただし、図４では、プリント基板３上にＳＤメモリーカード５を下段部５ｃが上側になるように裏向きに設置している。図示する如く、上段部の方が下段部より横幅が大きい。即ち、上段部５ｂは厚み１．４ｍｍで横幅２４ｍｍ、下段部５ｃは厚さ０．７ｍｍで横幅２２．５ｍｍであり、下段部は両端に段部となっている。
【００３６】
一方、ＰＣカードは、ＰＣカード規格により、中央部の厚さの違いによって３種類あり、薄い順にｔｙｐｅＩ、II、IIIの種類がある。本発明では、一般によく使用されるｔｙｐｅIIを使用して説明する。なお、ｔｙｐｅIIより厚いｔｙｐｅIIIでも同様の構成が可能である。ｔｙｐｅIIの形状は、上段部１６、中段部１７、下段部１８の３段構成となっており、上段部及び下段部は、最大厚さ０．８５ｍｍで最大幅Ｅは４８ｍｍ、中段部は厚さ３．３ｍｍ、幅５４ｍｍである。
【００３７】
ＳＤメモリーカード５を２ケ横に並べると、２ケのＳＤメモリーカード５の上段の両端部の幅は４８ｍｍとなるが、２ケのＳＤメモリーカード５の間には、部品の精度ばらつきのため若干隙間を設ける必要がある。例えばこの実施の形態では０．１５ｍｍとしたので、２ケのＳＤメモリーカード５の上段部５ｂの両端部の幅Ｄは４８．１５ｍｍとなる。そのため、ＰＣカードの上段部１６及び下段部１８の幅Ｅ（４８．００ｍｍ）内には２ケのＳＤメモリーカードの上段部５ｂを配置することはできないが、中段部１７は上段部１６より幅が多少広いので、中段部１７内なら２ケのＳＤメモリーカードを配置することが可能である。
【００３８】
また、この場合、２ケのＳＤメモリーカード５の下段部５ｃの両側端面の幅Ｆは４６．６５ｍｍとなる。幅Ｅから幅Ｆを引き、２で割ると０．６７５ｍｍとなる。ＰＣカードの板厚が０．２ｍｍとすると、ＰＣカードの内壁とＳＤメモリーカードの下段部５ｃとの間の隙間は０．４７５ｍｍとなる。この場合、例えば、押圧部材６を厚さを０．２ｍｍの薄板で構成すると、前記のように片側に０．４７５ｍｍの隙間を確保しているので、０．２７５ｍｍの隙間を残して、押圧部材６がＰＣカードの上段横幅Ｅに入る寸法となる。
【００３９】
この位置関係で、押圧部材６を安定した状態でプリント基板３に固定するためには、係止手段である係止片６ｄ1−６ｄ4を、２ケのＳＤメモリーカードの両端面の外側の位置でプリント基板３に固定する必要がある。
【００４０】
図５は、Ｇ部で示すように、ＳＤメモリーカードの段部形状に沿って第１と第２の係止片６ｄ1、６ｄ2を延長した場合を仮定した押圧部材の断面図である。しかし、この図５に示すように、第１と第２の係止片６ｄ1、６ｄ2の曲げ部の箇所が増えると、容易に高精度で押圧部材６を加工することができない。加工するとしても製造コストが高くつくことになる。
【００４１】
また、精度が確保できず、押圧部材６とＰＣカードの天板間の隙間が少ないと、押圧部材６の第１と第２の係止片６ｄ1、６ｄ2の段部形状に曲げた部分とＰＣカードの天板の曲げ部が当接して組立てができなくなる。そのため、ＰＣカード内でプリント基板３、ＳＤメモリーカード５、押圧部材６の配置を下方向に移動させて、押圧部材６とＰＣカードの天板間の隙間を確保しなければならない。その結果、プリント基板３の下面とＰＣカードの下面間の隙間が少なくなり、プリント基板３下面に実装する電気部品の高さがその分、制限されることになり、実装できる部品が限られるという課題が生じる。従って、図５に示すような押圧部材の構成では実施化は不適切である。
【００４２】
そこで、次に説明するように、本発明者はＳＤメモリーカード５を２ケ並べたときに生じるＳＤメモリーカード５の筐体に形成されているノッチ及び書込み禁止スイッチの切り欠き部で生じるスペースに第１、第２、第３の係止片６ｄ1−６ｄ3を配置することにより、狭いスペース内で押圧部材６が固定できることに着目した。
【００４３】
図６はＳＤメモリーカードを２ケ並べたときの位置関係を示す説明図である。同図は、２ケのＳＤメモリーカード５をその長辺が互いに隣接するように並べると、書込み禁止スイッチの切り欠き部１０及びノッチ１１により隙間１３が生ずることを示している。２ケのＳＤメモリーカード５の間にできる隙間１３及び右側のＳＤメモリーカード５の隙間１０に押圧部材６の第１と第３の係止片６ｄ1、６ｄ3を下ろし、さらに左側のＳＤメモリーカード５のノッチ１１に隣接する端子側の突部に押圧部材６の第２の係止片６ｄ2を係合させることにより、狭い構成スペースで押圧部材６の固定が可能となる。
【００４４】
そこで、図７のように、２ケのＳＤメモリーカード５のノッチ１１及び書込み禁止スイッチの切り欠き部１０の隙間に第１と第３の係止片６ｄ1、６ｄ3を配置し、ノッチ１１に隣接する端子側の突部に押圧部材６の第２の係止片６ｄ2を係合させることにより、下段部５ｃの外周面に沿って第１と第３の係止片６ｄ1、６ｄ3を設けることが可能となり、係止片６ｄ1、６ｄ3の形状も単純となって精度も確保できる。プリント基板３の配置を下げる必要もなく、プリント基板３の裏面に実装する部品高さもその分高く構成できることになる。このとき、押圧部材６の横幅は２ケのＳＤメモリーカード５の上段の横幅よりも小さくコンパクトに構成できる。
【００４５】
なお、ＳＤメモリーカードの書込み禁止スイッチは、書込み可能な状態と書込み禁止状態をＳＤメモリーカード５の内部で検出して切り替えるのではなく、ＳＤメモリーカード５の外側に設置された検出手段によって切り替える構成であり、本発明においては、この書込み禁止スイッチは使用しないため、書込み禁止スイッチの切り欠き部１０の隙間に押圧部材６の第１の係止片６ｄ1を下ろしても書込み動作には支障はない。
（構成の説明）
以上のような課題をふまえて、押圧部材６の詳細な構成を説明する。
【００４６】
図１−図３において、６ａは押圧部材６の本体である本体部を示している。この本体部６ａは長方形状をしており、長手方向の寸法は隣り合って並列に配置されたＳＤメモリーカード５の幅と略同じであって、短い方向の寸法は、ＳＤメモリーカード５の端子５ａが露出可能な寸法になっている。以下において、長手方向の辺を端辺と称し、短い方の辺を側辺と称して説明する。
【００４７】
本体部６ａには、弾性体である板ばね部６ｂ（押圧片）が形成されている。板ばね部６ｂはＳＤメモリーカード５の上面と当接しＳＤメモリーカード５をプリント基板３に押圧する。板ばね部６ｂは本体部６ａを切り起して形成されたもので、１個のＳＤメモリーカード５に対して３個づつ設けられている。即ち、３個の板ばね部６ｂが、本体部６ａの側辺の中央を結ぶ中心線を境に、逆Ｌ字形に対称に配置されている。
【００４８】
また、押圧部材６は本体部６ａの外周縁の３辺を直角に折り曲げて構成された側板部６ｃを有する。側板部６ｃはＳＤメモリーカード５の端子５ａが位置する端部を除く３辺に形成され、ＳＤメモリーカード５の外周縁部の形状に合わせて形成されている。
【００４９】
側板部６ｃの一方の側辺の先端にＬ字形の第１の係止片６ｄ1が突出して形成されている。また、端子５ａ側の本体部６ａの端辺中央にＬ字形の第３の係止片６ｄ3が切り起しにより形成されている。これらの第１と第３の係止片６ｄ1、６ｄ3は、端子５ａ方向に直角に折れ曲がり、プリント基板３に向かう方向に延びている。これらの第１と第３の係止片６ｄ1、６ｄ3は、前記のように、ＳＤメモリーカード５の筐体に形成されているノッチ１１及び書込み禁止スイッチの切り欠き部１０に対応する位置に形成されている。
【００５０】
また、端子５ａと反対側の側板部６ｃの端辺の中央にはＴ字形の第４の係止片６ｄ4が突出して形成されている。第４の係止片６ｄ4は、各々２ケの前記ＳＤメモリーカード５の角部のコーナアール部によりできた隙間に対応する位置に形成されている。
【００５１】
これらの第１、第３、第４の係止片６ｄをプリント基板に設けられた穴部３ａに固定することにより、押圧部材６がプリント基板３に固定され、ＳＤメモリーカード５がプリント基板３に圧接固定される。
【００５２】
また、側板部６ｃの他方の側辺の先端には、第２の係止片６ｄ2が形成されている。この第２の係止片６ｄ2は長方形に形成された片の中央には穴６ｉが形成され、ＳＤメモリーカード５のノッチ１１に隣接する端子５ａ側の突部５ｄと係合することにより、押圧部材６がＳＤメモリーカード５及びプリント基板３と係合する。なお、前記ノッチ１１に、前記第２の係止片６ｄ2の一部分が嵌まり込んでいる。
【００５３】
また、側板部６ｃの一部を構成する両側部の板ばね部６ｅ及び端部側の板ばね部６ｆ（押圧片）は弾性体であって、ＳＤメモリーカード５を内方に押すために僅かに内側に曲げられている。
【００５４】
本体部６ａの長手方向中央の端辺寄りには、ＳＤメモリーカード５の段部端面に当接する当接部６ｇが切り起しにより形成されている。
図８は隣接する２ケのＳＤメモリーカード５に、押圧部材６が係合した状態を示す平面図である。同図において、２ケのＳＤメモリーカード５は本体部６ａに嵌めこまれている。
【００５５】
押圧部材６の当接部６ｇは２ケのＳＤメモリーカード５の間にあって、各々のＳＤメモリーカード５の段部端面に当接部６ｇの両端縁が当接している。
各々のＳＤメモリーカード５は、押圧部材６の両側部の板ばね部６ｅによって、カード５の側面（長辺側）が内側へ向かって押圧される。即ち、図８において、左側のＳＤメモリーカード５は矢印Ａ方向に、右側のＳＤメモリーカード５は矢印Ｂ方向に附勢され、２ケのＳＤメモリーカード５は互いに押圧し合う方向に押圧される。その結果、当接部６ｇの両端縁に各々のＳＤメモリーカード５の段部端面が圧接し、ＳＤメモリーカード５は板ばね部６ｅと当接部６ｇの端縁とで挟持される。別の見方をすれば、２ケのＳＤメモリーカード５が当接部６ｇを挟持していることになる。
【００５６】
なお、押圧部材６は、２ケのＳＤメモリーカード５を各々３ケ所の板ばね部６ｂでプリント基板３に押圧している。合計６ケの押圧部材６は、ＳＤメモリーカード５をプリント基板３に固定する第１の係止片６ｄ1、第２の係止片６ｄ2、第３の係止片６ｄ3、第４の係止片６ｄ4、の近傍に形成されている。板ばね部６ｂをこのように配置することにより、ＳＤメモリーカード５を押圧する反力が第１から第４の係止片６ｄ1−６ｄ4の固定点近傍に作用することになり、プリント基板３の変形が低減でき、プリント基板３方向へ安定してＳＤメモリーカード５の押圧が可能となる。
【００５７】
なお、従来例で説明したように、ＳＤメモリーカード５の端子側は、コネクタ４に形成された図示しない位置決め部によりＳＤメモリーカード５の短辺方向（ＰＣカードの長手方向と直角方向）に移動しないように構成されている。
【００５８】
そして、その位置決め部の一部は、当接部６ｇと同様な形状で端子部の近くの２つのＳＤメモリーカード５の間に設けられ、当接部６ｇと共に２つのＳＤメモリーカード５をバランスよく挟持している。
【００５９】
他方、端部側の板ばね部６ｆは２ケのＳＤメモリーカード５の端子と反対側、即ち背面部を押圧し、図８の矢印Ｃ方向に附勢する。ＳＤメモリーカード５の端子側の端面は、図１５で示すようにコネクタ４のハウジング部に当接しており、ＳＤメモリーカード５はコネクタ４のハウジング部に圧接される。
（組立方法）
次に、ＰＣカードの組立方法について説明する。
【００６０】
以上のような構成において、組立時は予めプリント基板３にコネクタ４が実装固定された状態で、４ケのＳＤメモリーカード５をコネクタ４のコンタクト８に端子５ａが接触するように横方向からスライドして挿入する。その後、ＳＤメモリーカード５を覆うように押圧部材６を上方からＳＤメモリーカード５に被せる。まず、第２の係止片６ｄ2をＳＤメモリーカード５とプリント基板３に係合させ、第１、第３、第４の係止片６ｄ1、６ｄ3、６ｄ4をプリント基板３の穴３ａに貫通させる。
【００６１】
なお、押圧部材６をプリント基板３に固定する際は、板ばね６ｂがＳＤメモリーカード５の上面と当接するため、押圧部材６はプリント基板３から離れる方向に力を受ける。そのため押圧部材６をプリント基板３方向に押した状態で第１、第３、第４の係止片６ｄ1、６ｄ3、６ｄ4の先端を曲げるようにする。このようにすると、折り曲げた第１、第３、第４の係止片の先端部がプリント基板３の裏面に当接し、板ばね６ｂがＳＤメモリーカード５をプリント基板３の方向に押圧しているため、押圧部材６はプリント基板方向に力を受け、その結果、押圧部材６がＳＤメモリーカード５をプリント基板３に圧接して固定することになる。そして第１、第３、第４の係止片の先端部を切り欠き部から水平面内で曲げることにより、プリント基板３と接触する曲げ部の高さはほぼ一定となり、その結果、押圧部材６のプリント基板３からの高さもばらつきが少なく、一定の力でＳＤメモリーカード５をプリント基板３に押圧することができる。
【００６２】
図９はプリント基板３に押圧部材６の係止片を固定した状態を示す斜視図である。同図において、穴部３ａはプリント基板３に対するコネクタ４の位置決めに対応して精度よく形成されている。その穴部３ａに押圧部材６の第１、第３、第４の係止片６ｄ1、６ｄ3、６ｄ4を貫通させ、その後、係止片６ｄ1、６ｄ3、６ｄ4に設けられた切り欠き部からこの係止片を水平面内で曲げて固定する。穴部３ａを貫通させることにより、押圧部材６をプリント基板３に対して高精度に位置あわせすることが可能となり、また押圧部材６がプリント基板３から外れにくくなる。
【００６３】
なお、押圧部材６を固定するときの高さ変化を無視できるときは、係止片６ｄ1、６ｄ3、６ｄ4の先端部を切り欠き部からプリント基板方向に曲げて固定してもよい。
押圧部材６はステンレスやメッキ加工を施した金属などの導電性部材で形成する一方、図９において、プリント基板３の穴部３ａの周囲にグランド部（図示せず）を形成し、係止片６ｄ1、６ｄ3、６ｄ4先端がプリント基板３のグランド部に接触するように固定する。そのように構成することにより、ＳＤメモリーカード５は導電性部材で覆われることになり、外部からの静電気の影響を受けにくくなる。更に、係止片６ｄ1、６ｄ3、６ｄ4の先端部とグランド部との間に半田付け等をすることにより、より確実に接触させることが可能となる。
（作用）
以上のような構成とすることにより、４ケのＳＤメモリーカード５は各々２ケずつ押圧部材６により挟持され且つプリント基板３及びコネクタ４のハウジングに押圧固定されることになり、ＳＤメモリーカード５の端子５ａとコネクタ４のコンタクトは位置精度を確保した状態でプリント基板３上で固定できることになる。従って、カバー２とＳＤメモリーカード５はその間にクッション材等で当接していないのでカバー２のソリ等による影響も受けない。また、カバー２に外力が作用しても、カバー２が直接ＳＤメモリーカード５を押圧しないため、ＳＤメモリーカード５の端子５ａとコネクタ４のコンタクトの接触状態が変化して接触不良になったり、コンタクトが変形したりする可能性を低減できる。
【００６４】
また、押圧部材６の素材として導電性部材を使用し、プリント基板３のグランド部と接触した状態で固定することにより、外部の静電気の影響を受けにくくなる。
（変形例）
本実施の形態では、板ばね部６ｅにより２ケのＳＤメモリーカード５の長辺を内側へ押圧し、２ケのＳＤメモリーカード５の間にある当接部６ｇに対して圧接するように構成したが、当接部６ｇの代わりにＳＤメモリーカード５を外側へ押圧する板ばねを形成し、板ばね部６ｅを廃止して壁部とし、２ケのＳＤメモリーカードを壁部と板ばねとで挟持するように構成してもよい。
【００６５】
また、当接部６ｇを廃止し、２ケのＳＤメモリーカードの長辺部分が互いに接するようにし、板ばね６ｅによって２ケのＳＤメモリーカードが互いに押圧し合うように構成してもよいが、ＳＤメモリーカードが当接部６ｇを介して押圧し合う本実施の形態の構成のほうが位置精度を確保して確実に固定できるため、望ましい。
【００６６】
なお、押圧部材６とＳＤメモリーカード５の２者、またはＳＤメモリーカード５とプリント基板３の２者、または押圧部材６、ＳＤメモリーカード５、プリント基板３の３者を接着等で固定することにより、ＳＤメモリーカード５の固定がより確実になる。
【００６７】
また、コネクタ４と押圧部材６を予め一体化して両者を固定しておく構成としてもよい。しかしながら、この場合ＳＤメモリーカード５を入れた状態でコネクタ４と押圧部材６をプリント基板３に固定する必要があるためコネクタ４の実装が困難となり、ＳＤメモリーカード５の交換時もコネクタ４を外す必要が生じて容易には交換できない。一方、本構成は組立性、メンテナンス性ともに優れたＰＣカードを提供できるため、より望ましい。
実施の形態２
図１０は板状部材を使用した実施の形態２による分解斜視図である。同図において、板状部材１２を追加した点が実施の形態１と異なる。
【００６８】
板状部材１２は、四角形の本体に、紐状部が形成されている。板状部材１２には、プリント基板３上の穴３ａと略同じ位置に穴１２ａが形成され、押圧部材６の第３、第４の係止片６ｄ3、６ｄ4はプリント基板３の穴３ａ及び板状部材１２の穴１２ａを貫通した後、切り欠き部から水平面内、又は板状部材１２の方向に曲げられて板状部材１２の端面に圧接固定される。
【００６９】
なお、本発明では、板状部材１２に押圧部材６の係止片６ｄ3、６ｄ4の先端を曲げて固定したが、プリント基板３裏面を摺動可能な板状部材に摺動方向に長穴を形成し、係止片６ｄ3、６ｄ4の切り欠きはその摺動方向に形成することにより、係止片６ｄ3、６ｄ4を板状部材１２の長穴に通した後、板状部材を摺動させて係止して固定してもよい。
【００７０】
この構成にて、板状部材１２を導電性部材で形成し、押圧部材６の係止片又は板状部材１２をプリント基板３のグランド部と接触させた状態で固定することにより、外部からの静電気の影響を受けにくくすることができる。
【００７１】
このように構成することにより、ＳＤメモリーカード５とプリント基板３は押圧部材６と板状部材１２で挟持されて圧接されることになり、プリント基板３には曲げ応力が生じにくくなるため、押圧部材６を取り付けた後にプリント基板３が変形するということが生じにくくなる。その結果、プリント基板３上のパターンや実装部品にストレスが発生しにくく、より高い信頼性を確保できる。
実施の形態３
図１１は、押圧部材をプリント基板に対して固定する方法の別の実施例を示す分解斜視図である。前述のように押圧部材６はＳＤメモリーカード５を挟持してプリント基板３に固定する。本実施の形態では、第２の係止片６ｄ2の穴６ｉの幅は、ＳＤメモリーカード５の突起部５ｄがほぼ隙間なく係合するように形成されており、一方、プリント基板３の突起３ｅの幅は穴６ｉよりも小さく形成されている。また、第３の係止片６ｄ3及び第４の係止片６ｄ4の先端部には、プリント基板３の厚みよりも僅かに大きく形成された溝幅を有する切り欠き部が形成されている。また、プリント基板３上には、第３の係止片６ｄ3及び第４の係止片６ｄ4と係合可能な長穴３ｂが形成されている。
【００７２】
組立て時は、予めＳＤメモリーカード５をコネクタの所定位置から若干隙間を開けてセットする。そして第２の係止片６ｄ2をＳＤメモリーカード５のノッチ１１に隣接する突起５ｄ及びプリント基板３の切り欠き部３ｃに隣接する突起３ｅに同時に引っ掛ける。このとき、第３の係止片６ｄ3、第４の係止片６ｄ4をプリント基板３に設けられた長穴３ｂに挿入し、且つ第２の係止片６ｄ2の一部６ｊがプリント基板３の突起３ｆの外側に位置するように、また第１の係止片６ｄ1がプリント基板３の突起３ｇの外側に位置するようにプリント基板３に対して押圧部材６を配置する。このとき、突起３ｆ及び３ｇにより、第１の係止片６ｄ1及び第２の係止片６ｄ2は弾性変形の範囲内で若干外に開いた状態になる。そして、押圧部材６をコネクタ４側に移動させる。第１の係止片６ｄ1は突起３ｇから離れ、切り欠き部３ｃに位置したところで変形が戻され切り欠き部３ｃ内に移動する。第２の係止片６ｄ2は、プリント基板３の突起３ｅの幅よりも穴６ｉの幅が大きく構成されているため、ＳＤメモリーカード５が係合したままプリント基板３上をコネクタ４側に移動可能である。第２の係止片６ｄ2は突起３ｆから離れ、切り欠き部３ｃに位置したところで変形が戻され切り欠き部３ｃ内に移動する。そして、第３、第４の係止片６ｄ3、６ｄ4の先端に構成された切り欠き部の溝幅はプリント基板３の厚みより僅かに大きく構成されており、その切り欠き部の溝がプリント基板３と係合してコネクタ４側に移動することになる。第１の係止片６ｄ1及び第２の係止片６ｄ2が切り欠き部３ｃに係合したところで移動が終了し、所定の位置で固定されることになる。
【００７３】
第１の係止片６ｄ1と係合する切欠き部の幅は、第１の係止片の幅寸法とほぼ同じで形成されており、第２の係止片６ｄ2と係合する切欠き部３ｃの幅も第２の係止片６ｄ2の幅寸法とほぼ同じで形成されているため、第２の係止片６ｄ2及び第１の係止片６ｄ1がプリント基板３の切欠き部に隙間なく係合するため、押圧部材６はコネクタと反対側に移動できず、所定の位置に固定されることになる。即ち、２ケのＳＤメモリーカード５は押圧部材６の板ばね部６ｆでコネクタ４のハウジング部に押圧される。押圧部材６はコネクタ４から離れる方向に反力が作用するが、第２の係止片６ｄ2及び第１の係止片６ｄ1がプリント基板３の切欠き部３ｃで係合して移動できないので、押圧部材６はＳＤメモリーカード５をコネクタ４のハウジング部に押圧させた状態でプリント基板３に固定できることになる。
【００７４】
図１２は押圧部材がプリント基板に固定された状態を示す斜視図である。
以上のような実施の形態によると、係止片の先端を曲げることなく、押圧部材をコネクタ側に摺動させるだけで所定の位置にＳＤメモリーカードを固定できるため、係止片を曲げるというような作業をしなくてもＳＤメモリーカードをプリント基板に固定できることから、簡単に且つ精度よくＳＤメモリーカードを固定できるという作用を有する。
【００７５】
上記の実施の形態１−３では、押圧部材６に形成された係止手段の係止片は、本体部６ａに逆Ｌ字形に３箇所、左右対称に計６箇所に設けられているが、本発明は係止片をＳＤメモリーカードの角部の４箇所に対応する位置に計８箇所に設けてもよい。何れにしろ、係止片は、ＳＤメモリーカード内に内蔵されたＩＣを保護するために、ＳＤメモリーカード５の外周縁部を押圧するのが好ましい。
【産業上の利用可能性】
本発明は、４ケのＳＤメモリーカードを内部に搭載し、ＳＤメモリーカードの端子部とコネクタのコンタクトとの接触の安定性を図った、信頼性の高いＰＣカードを提供するものである。
【図面の簡単な説明】
【００７６】
【図１】  本発明の実施の形態１によるＰＣカードの構成要素の主要部の分解斜視図である。
【図２】  本発明の実施の形態１によるＰＣカードの構成要素の分解斜視図である。
【図３】  本発明の実施の形態１によるＰＣカードの主要部を裏側から見た分解斜視図である。
【図４】  ＰＣカードとＳＤメモリーカードの断面図である。
【図５】  押圧部材を仮定的に設けた、ＰＣカードとＳＤメモリーカードの断面図である。
【図６】  本発明の実施の形態１によるＳＤメモリーカードの位置関係説明図である。
【図７】  本発明の実施の形態１による押圧部材を設けたＰＣカードとＳＤメモリーカードの断面図である。
【図８】  本発明の実施の形態１による押圧部材とＳＤメモリーカードの位置関係説明図である。
【図９】  プリント基板の裏面側の斜視図である。
【図１０】  本発明の実施の形態２によるＰＣカードの構成要素の主要部の分解斜視図である。
【図１１】  本発明の実施の形態３によるＰＣカードの構成要素の主要部の分解斜視図である。
【図１２】  図１１の構成要素を組み立てた状態の裏面側の斜視図である。
【図１３】  従来のＰＣカードの分解斜視図である。
【図１４】  従来のプリント基板の構成の主要部の斜視図である。
【図１５】  従来のコネクタ部の断面図である。
【符号の説明】
【００７７】
１    フレーム
２    カバー
３    プリント基板
４    コネクタ
５    ＳＤメモリーカード
５ａ  端子
６    押圧部材
６ａ  本体部
６ｂ  板ばね部
６ｃ  側板部
６ｄ  係止片
８    コンタクト
１０  書き込み禁止スイッチの切り欠き部
１１  ノッチ
１２  板状部材
２０  クッション材
【手続補正３】
【補正対象書類名】図面
【補正対象項目名】全図
【補正方法】変更
【補正の内容】
【図１】
2005004043.tif 000018
【図２】
2005004043.tif 000019
【図３】
2005004043.tif 000020
【図４】
2005004043.tif 000021
【図５】
2005004043.tif 000022
【図６】
2005004043.tif 000023
【図７】
2005004043.tif 000024
【図８】
2005004043.tif 000025
【図９】
2005004043.tif 000026
【図１０】
2005004043.tif 000027
【図１１】
2005004043.tif 000028
【図１２】
2005004043.tif 000029
【図１３】
2005004043.tif 000030
【図１４】
2005004043.tif 000031
【図１５】
2005004043.tif 000032
【国際調査報告】
2005004043.tif 000033
2005004043.tif 000034
2005004043.tif 000035
2005004043.tif 000036